(57)【要約】      （修正有）【課題】換気補助を行うように適応させたモジュール式換気補助装置を提供する。【解決手段】モジュール式換気補助装置１０は、人工呼吸器１２と、人工呼吸器の圧縮ガス取入ポートに接続されたホースに圧縮ガスを提供する圧縮ガス排出ポートとを備え、圧縮ガスを受け取る圧縮ガス取入ポートと、換気ガスを生成するために圧縮ガスの流れを制御する流量弁と、患者インターフェース８０に換気ガスを提供する換気ガス排出ポートと、無線送信機とを有する。圧縮器ユニットは、外気を取り入れる外気取入ポートと、外気を加圧して圧縮ガスを生成する圧縮器ユニット１４と、人工呼吸器の圧縮ガス取入ポートに接続されたホースに圧縮ガスを提供する圧縮ガス排出ポートと、人工呼吸器の無線送信機によって送信された信号を受信する無線受信機とを有する。圧縮器ユニットは、無線受信機によって受信された信号に従って人工呼吸器に圧縮ガスを提供する。【選択図】図１
2020000885.tif 000002
【特許請求の範囲】
【請求項１】
患者による吸気用の換気ガスを提供するための人工呼吸器であって、
圧縮ガスを受け取るための圧縮ガス取入ポートと、
前記換気ガスを生成するために前記圧縮ガスの流れを制御するための流量弁と、
患者インターフェースに前記換気ガスを提供するための換気ガス排出ポートと、
無線送信機と、を有する人工呼吸器と、
前記人工呼吸器に前記圧縮ガスを提供するための圧縮器ユニットであって、
外気を取り入れるための外気取入ポートと、
前記外気を加圧して前記圧縮ガスを生成するための圧縮器と、
前記人工呼吸器の前記圧縮ガス取入ポートに接続されたホースに前記圧縮ガスを提供するための圧縮ガス排出ポートと、
前記人工呼吸器の前記無線送信機によって送信された信号を受信するための無線受信機と、を有する、前記圧縮器ユニットと、
を備え、
前記圧縮器ユニットは、前記無線受信機によって受信された前記信号に従って前記人工呼吸器に前記圧縮ガスを提供する、モジュール式換気補助装置。
【請求項２】
前記圧縮器が前記無線受信機によって受信された前記信号に従って制御可能である、
請求項１に記載のモジュール式換気補助装置。
【請求項３】
前記圧縮器ユニットから前記人工呼吸器に提供される前記圧縮ガスは、前記外気よりも酸素濃度が高い、
請求項１に記載のモジュール式換気補助装置。
【請求項４】
前記圧縮器ユニットが低流量酸素吸入ポートを更に備える、
請求項３に記載のモジュール式換気補助装置。
【請求項５】
前記圧縮器ユニットの圧縮ガス排出ポートがDiameter Index Safety System連結器を備える、
請求項１に記載のモジュール式換気補助装置。
【請求項６】
前記人工呼吸器がユーザーインターフェースを更に備え、
前記無線送信機による前記信号の送信は、前記ユーザーインターフェースにおけるユーザー入力によって開始される、
請求項１に記載のモジュール式換気補助装置。
【請求項７】
前記ユーザーインターフェースにおける前記ユーザー入力は、患者の活動量のレベルに対応する複数の処方指示設定の中からの選択を含む、
請求項６に記載のモジュール式換気補助装置。
【請求項８】
前記人工呼吸器が、前記換気ガス排出ポートにおける圧力を測定するための第１の圧力センサーを更に備える、
請求項１に記載のモジュール式換気補助装置。
【請求項９】
前記人工呼吸器が、前記患者インターフェースに接続されたセンスラインにおける圧力を測定するための第２の圧力センサーを更に備える、
請求項８に記載のモジュール式換気補助装置。
【請求項１０】
前記人工呼吸器は、前記圧縮ガス取入ポートが前記圧縮器ユニットの前記圧縮ガス排出ポートに接続される拡張範囲構成と、前記圧縮ガス取入ポートが圧縮ガスボンベに接続されるスタンドアロン構成との間で移行可能である、
請求項１に記載のモジュール式換気補助装置。
【請求項１１】
圧縮ガスを人工呼吸器に提供するための圧縮器ユニットであって、
外気を取り入れるための外気取入ポートと、
前記外気を加圧して前記圧縮ガスを生成するための圧縮器と、
前記人工呼吸器の圧縮ガス取入ポートに接続されたホースに前記圧縮ガスを提供するための圧縮ガス排出ポートと、
前記人工呼吸器の無線送信機によって送信された信号を受信するための無線受信機と、を備え、
前記無線受信機によって受信された前記信号に従って前記人工呼吸器に前記圧縮ガスを提供する、圧縮器ユニット。
【請求項１２】
前記圧縮器が前記無線受信機によって受信された前記信号に従って制御可能である、
請求項１１に記載の圧縮器ユニット。
【請求項１３】
前記圧縮器ユニットから前記人工呼吸器に提供される前記圧縮ガスは、前記外気よりも酸素濃度が高い、
請求項１１に記載の圧縮器ユニット。
【請求項１４】
前記圧縮器ユニットが低流量酸素吸入ポートを更に備える、
請求項１３に記載の圧縮器ユニット。
【請求項１５】
前記圧縮器ユニットの圧縮ガス排出ポートがDiameter Index Safety System連結器を備える、請求項１１に記載の圧縮器ユニット。
【請求項１６】
圧縮ガスボンベと、
患者による吸気用の換気ガスを提供するための人工呼吸器であって、
圧縮ガスを受け取るための圧縮ガス取入ポートと、
前記換気ガスを生成するために前記圧縮ガスの流れを制御するための流量弁と、
患者インターフェースに前記換気ガスを提供するための換気ガス排出ポートと、
無線送信機と、を有する人工呼吸器と、
前記人工呼吸器に前記圧縮ガスを提供するための圧縮器ユニットであって、
外気を取り入れるための外気取入ポートと、
前記外気を加圧して前記圧縮ガスを生成するための圧縮器と、
前記人工呼吸器の前記圧縮ガス取入ポートに接続されたホースに前記圧縮ガスを提供するための圧縮ガス排出ポートと、
前記人工呼吸器の前記無線送信機によって送信された信号を受信するための無線受信機と、を有する、前記圧縮器ユニットと、
を備え、
前記圧縮器ユニットは、前記無線受信機によって受信された前記信号に従って前記人工呼吸器に前記圧縮ガスを提供し、
前記人工呼吸器は、前記圧縮ガス取入ポートが前記圧縮器ユニットの前記圧縮ガス排出ポートに接続される拡張範囲構成と、前記圧縮ガス取入ポートが前記圧縮ガスボンベに接続されるスタンドアロン構成との間で移行可能である、モジュール式換気補助装置。
【請求項１７】
前記圧縮器が前記無線受信機によって受信された前記信号に従って制御可能である、
請求項１６に記載のモジュール式換気補助装置。
【請求項１８】
前記圧縮器ユニットから前記人工呼吸器に提供される前記圧縮ガスは、前記外気よりも酸素濃度が高い、
請求項１６に記載のモジュール式換気補助装置。
【請求項１９】
前記圧縮器ユニットが低流量酸素吸入ポートを更に備える
請求項１８に記載のモジュール式換気補助装置。
【請求項２０】
前記人工呼吸器はユーザーインターフェースを更に備え、前記無線送信機による前記信号の送信は、前記ユーザーインターフェースにおけるユーザー入力によって開始される、
請求項１６に記載のモジュール式換気補助装置。
【発明の詳細な説明】
【技術分野】
【０００１】
本開示は概して人工呼吸器に関し、特に、機械換気を必要とする個人のケアのための連続的又は断続的な換気補助を行うように適応させたモジュール式人工呼吸システムに関する。
【背景技術】
【０００２】
幅広い病態が、何らかの形態の換気療法を必要とし得る。これらの病態として、低酸素血症、各種形態の呼吸不全、及び気道障害などが挙げられ得る。また、うっ血性心不全や神経筋疾患など、換気療法を必要とする非呼吸器系及び非気道系疾患もある。
【０００３】
長期にわたる換気療法を要する多くの患者の生活の質を高めるために、先行技術において様々なタイプの人工呼吸システムが開発されてきた。これらの先行技術システムの中には、コンパクトで軽量、携帯可能なものもあれば、頑丈だが携帯には適さないもの、あるいは患者が装着できるものもある。ただし、既知の従来技術は、複数の異なる構成のいずれかで使用するために一意に適応させた人工呼吸システムを提供し、それらの構成に対応する複数の異なるタイプの換気補助のいずれかを提供するという点に欠点がある。これらの欠点は、以下に詳述するとおり、本開示のモジュール式人工呼吸システムによって対処される。
【発明の概要】
【発明が解決しようとする課題】
【０００４】
これらを始めとする問題を解決するために、定置構成、拡張範囲構成、ならびにスタンドアロン構成間で移行可能な新しいモジュール式人工呼吸システム、及び機械換気を必要とする個人のケアのための連続的又は断続的な換気補助を目的としたこれらの人工呼吸システムの使用方法が考案されている。更に詳述すると、このモジュール式人工呼吸システムは、主として人工呼吸器、圧縮器ユニット、及び患者インタフェースで構成されており、定置構成、拡張範囲構成、及びスタンドアロン構成を含む少なくとも３つの異なる構成で使用され得る。定置構成においては、人工呼吸器が圧縮器ユニットとドッキングされており、静止している患者の換気のために患者インタフェースが圧縮器ユニットに接続されている。患者が局所的な日常生活活動に携わることを可能にし得る拡張範囲構成においては、人工呼吸器が圧縮器ユニットとドッキングされておらず、代わりに、患者の近くにあり、そこで圧縮ガス供給ホースを介して圧縮器から圧縮空気を受け取るようになっており、患者インタフェースは人工呼吸器に接続されている。患者が非局所的な活動に携われるようにし得るスタンドアロン構成においては、人工呼吸器がドッキングされておらず、他の方法でも圧縮器ユニットと接続されておらず、代わりに、酸素ボンベ又は空気ボンベなどの外部圧縮ガス源、又は病院の壁面にある圧縮ガス源に接続されていて、そこから圧縮ガスを受け取るようになっており、患者インタフェースは人工呼吸器に接続されている。
【課題を解決するための手段】
【０００５】
本明細書に開示されているモジュール式換気補助装置の考案された一実施形態によれば、モジュール式換気補助装置は、圧縮器ユニット、人工呼吸器、及び患者インタフェースを備え得る。圧縮器ユニットは、圧縮器と、人工呼吸器ドックの圧縮ガス排出ポート及び人工呼吸器ドックの換気ガス取入ポートを有する人工呼吸器ドックと、圧縮器ユニットの圧縮ガス排出ポートと、を備え得る。人工呼吸器は、人工呼吸器ドックに着脱可能にドッキングするように構成されており、人工呼吸器の換気ガス排出ポートと人工呼吸器の圧縮ガス取入ポートとを備えている。患者インタフェースは、換気ガスを受け取り、換気ガスを患者に届けるためのものであり、圧縮器ユニットの換気ガス排出ポートと流体連通する配置と人工呼吸器の換気ガス排出ポートと流体連通する配置との間で移行可能な患者インタフェースガス取入ポートを有する。定置構成に移行すると、人工呼吸器は、人工呼吸器ドックにドッキングされ、人工呼吸器の圧縮ガス取入ポートが人工呼吸器ドックの圧縮ガス排出ポートと流体連通し、人工呼吸器の換気ガス排出ポートが人工呼吸器ドックの換気ガス取入ポートと流体連通し、患者インタフェースガス取入ポートが圧縮器ユニットの換気ガス排出ポートと流体連通し、その結果、圧縮器ユニットによって圧縮ガスが人工呼吸器に提供され、換気ガスが圧縮器ユニットに戻され、その後、圧縮器ユニットから患者インタフェースに出力される。拡張範囲構成に移行すると、人工呼吸器が人工呼吸器ドックでドッキングされず、人工呼吸器の圧縮ガス取入ポートが圧縮器ユニットの圧縮ガス排出ポートと流体連通し、患者インタフェースガス取入ポートが人工呼吸器の換気ガス排出ポートと流体連通するため、圧縮ガスが圧縮器ユニットによって人工呼吸器に提供され、換気ガスが、圧縮器ユニットに戻されることなく、人工呼吸器によって患者インタフェースに提供される。スタンドアロン構成に移行すると、人工呼吸器が換気ドックで固定されず、人工呼吸器の圧縮ガス取入ポートが外部圧縮ガス源と流体連通し、患者インタフェースガス取入ポートが人工呼吸器の換気ガス排出ポートと流体連通するため、圧縮ガスが外部圧縮ガス源によって人工呼吸器に提供され、圧縮ガスが、圧縮器ユニットを通過せずに人工呼吸器に提供される。
【０００６】
加えて、本明細書に開示されたモジュール式換気補助装置のこれらの実施形態を使用する方法が考案されている。そのため、モジュール式換気補助装置を定置構成、拡張範囲構成、及びスタンドアロン構成のいずれかの構成から別の構成へと移行させる方法が考案されており、この方法は、圧縮器ユニット、人工呼吸器、及び患者インタフェースという前述の構成要素を有するモジュール式換気補助装置を提供する第１のステップと、モジュール式換気補助装置を定置構成、拡張範囲構成、及びスタンドアロン構成のいずれかの構成から別の構成に移行させる第２のステップと、を含む。このモジュール式換気補助装置は、人工呼吸器が人工呼吸器ドックでドッキングされると定置構成へと移行し、人工呼吸器の圧縮ガス取入ポートが人工呼吸器ドックの圧縮ガス排出ポートと流体連通し、人工呼吸器の換気ガス排出ポートが人工呼吸器ドックの換気ガス取入ポートと流体連通し、患者インタフェースガス取入ポートが圧縮器ユニットの換気ガス排出ポートと流体連通する。その結果、圧縮器ユニットによって圧縮ガスが人工呼吸器に提供され、換気ガスが圧縮器ユニットに戻され、その後、圧縮器ユニットから患者インタフェースに出力される。拡張範囲構成に移行すると、このモジュール式換気補助装置は、人工呼吸器ドックでドッキングされず、人工呼吸器の圧縮ガス取入ポートが圧縮器ユニットの圧縮ガス排出ポートと流体連通し、患者インタフェースガス取入ポートが人工呼吸器の換気ガス排出ポートと流体連通する。その結果、圧縮ガスが圧縮器ユニットによって人工呼吸器に提供され、換気ガスが、圧縮器ユニットに戻されることなく、人工呼吸器によって患者インタフェースに提供される。このモジュール式換気補助装置は、スタンドアロン構成に移行すると、人工呼吸器が換気ドックで固定されず、人工呼吸器の圧縮ガス取入ポートが外部圧縮ガス源と流体連通し、患者インタフェースガス取入ポートが人工呼吸器の換気ガス排出ポートと流体連通する。その結果、圧縮ガスが外部圧縮ガス源によって人工呼吸器に提供され、圧縮ガスが、圧縮器ユニットを通過せずに人工呼吸器によって患者インタフェースに提供される。
【０００７】
上記及び他の考案された実施形態及び方法は、特定の他の態様を含み得ることが更に意図されている。例えば、圧縮器ユニットは、低流量酸素吸入ポートであり得る低流量ガス吸入ポートを更に備え得る。圧縮器はまた、外気を圧縮するように追加的又は代替的に構成されてもよく、圧縮器ユニットは、外気を圧縮器に導入するための１つ以上の外気口を更に備え得る。この１つ以上の外気口は、フィルタを更に備え得る。圧縮器ユニットの圧縮ガス排出ポートは、Diameter Index Safety System（ＤＩＳＳ）連結器を備えてもよい。人工呼吸器は電動式であってよく、充電式バッテリを備え得るものと更に意図される。このように、人工呼吸器ドックは、人工呼吸器に給電するため、及び人工呼吸器が人工呼吸器ドックでドッキングされたときに充電式バッテリを再充電するための電力を人工呼吸器に提供するように構成されてもよい。人工呼吸器は、ユーザインタフェースと無線送信機とを更に備えてもよく、圧縮器ユニットは、無線受信機を更に備えてもよい。その結果、圧縮器は、ユーザインタフェースにおけるユーザ入力によって開始される、無線送信機から無線受信機への信号伝送によって制御可能であり得ることが理解され得る。
【０００８】
本明細書に開示される種々の実施形態に関するこれら及び他の特徴及び利点は、以下の説明及び図面を参照することによって理解が深まる。
【図面の簡単な説明】
【０００９】
【図１】開示されたモジュール式人工呼吸システムの一実施形態に係る換気補助装置の正面斜視図である。
【図２】換気補助装置の人工呼吸器の正面図である。
【図３】人工呼吸器の側面図である。
【図４】人工呼吸器の上面図である。
【図５】人工呼吸器の底面図である。
【図６】換気補助装置の圧縮器ユニットの正面斜視図である。
【図７】圧縮器ユニットの背面斜視図である。
【図８】定置構成における換気補助装置の概略図である。
【図９Ａ】４ステップを有する例示的なプロセスで定置構成に移行する換気補助装置の正面図である。
【図９Ｂ】４ステップを有する例示的なプロセスで定置構成に移行する換気補助装置の拡大切欠正面斜視図である。
【図９Ｃ】４ステップを有する例示的なプロセスで定置構成に移行する換気補助装置の拡大切欠正面斜視図である。
【図９Ｄ】４ステップを有する例示的なプロセスで定置構成に移行する換気補助装置の正面図である。
【図１０】患者インタフェースを含む、定置構成における換気補助装置の正面斜視図である。
【図１１】定置構成における換気補助装置ならびに酸素接続チューブの拡大切欠背面斜視図である。
【図１２】拡張範囲構成における換気補助装置の概略図である。
【図１３Ａ】２ステップを有する例示的なプロセスによって定置構成から移行する換気補助装置の正面図である。
【図１３Ｂ】２ステップを有する例示的なプロセスによって定置構成から移行する換気補助装置の拡大切欠正面斜視図である。
【図１４】拡張範囲構成における、圧縮ガスホースを介した圧縮器ユニットへの人工呼吸器の接続の概略図である。
【図１５】人工呼吸器の切欠正面斜視図であり、患者インタフェースを含む人工呼吸器の底部を示す。
【図１６】人工呼吸器用バッテリ充電器コードを介した人工呼吸器用バッテリ充電器への人工呼吸器の接続を示す概略図である。
【図１７Ａ】２ステップを有する例示的なプロセスでベルトクリップに取り付けられている人工呼吸器を示す斜視図である。
【図１７Ｂ】２ステップを有する例示的なプロセスでベルトクリップに取り付けられている人工呼吸器を示す斜視図である。
【図１８】スタンドアロン構成における換気補助装置の概略図である。
【図１９Ａ】３ステップを有する例示的プロセスでベルトクリップを介してポール及びポールマウントに固定されている人工呼吸器を示す斜視図である。
【図１９Ｂ】３ステップを有する例示的プロセスでベルトクリップを介してポール及びポールマウントに固定されている人工呼吸器を示す斜視図である。
【図１９Ｃ】３ステップを有する例示的プロセスでベルトクリップを介してポール及びポールマウントに固定されている人工呼吸器を示す斜視図である。
【図２０Ａ】３ステップを有する例示的プロセスで人工呼吸器を外部圧縮ガス源に接続することによってスタンドアロン構成に移行する換気補助装置の斜視図である。
【図２０Ｂ】３ステップを有する例示的プロセスで人工呼吸器を外部圧縮ガス源に接続することによってスタンドアロン構成に移行する換気補助装置の斜視図である。
【図２０Ｃ】３ステップを有する例示的プロセスで人工呼吸器を外部圧縮ガス源に接続することによってスタンドアロン構成に移行する換気補助装置の上面図である。
【発明を実施するための形態】
【００１０】
図面及び発明を実施するための形態の全体を通じて、共通の参照番号を使用して同じ要素を示す。
本開示の種々の態様によれば、定置構成、拡張範囲構成、及びスタンドアロン構成間で移行し得るモジュール式換気補助システム、及びかかる移行を実施する方法が考案される。モジュール式換気補助システムのモジュール式構成要素は、少なくとも、圧縮器ユニットと、圧縮器ユニットとドッキングできる人工呼吸器と、圧縮器ユニット又は人工呼吸器部のどちらかに接続され得る患者インタフェースと、を備えるように考案される。モジュール性ゆえ、これらの構成要素は、少なくとも３つの異なる構成へと再配置することができ、かかる構成は、移動性及び予想使用期間に関連する異なる属性を有する。したがって、本明細書で考察されるモジュール式換気補助システム及び方法を使用することにより、ユーザは、モジュール式換気補助システムが任意の所定時期に自身の現在のニーズに適合するように最適な構成を選択することができ、その後、そのモジュール式換気補助システムをその構成へと移行させて、複数の異なる換気補助システムを使用することなく柔軟性上の便益を実現してもよい。たとえば、定置構成に移行すると、移動性は制限されるが、使用期間は最大化される。拡張範囲構成に移行すると、移動性は高まるが、人工呼吸器のバッテリ電力によって使用期間が制限される。スタンドアロン構成に移行すると、移動性は最大化されるが、人工呼吸器のバッテリ電力と外部ガス供給量によって使用期間が制限される。そのため、本開示のモジュール式人工呼吸システムにより、患者の生活の質が大幅に改善され得ることが理解され得る。
【００１１】
次に図１を参照すると、開示されたモジュール式人工呼吸システムの一実施形態に係る換気補助装置１０の正面斜視図が示されている。換気補助装置１０は、例えば、例示的実施形態において、本明細書の付録Ａに記載されたBreathe Technologies Life2000（商標）人工呼吸システムの１つ以上の構成要素であってもよく、その開示は参照によって本明細書に援用される。ただし、換気補助装置１０は、本明細書に記載された構成要素を有し、かつ／または本明細書に開示された方法に従って動作する任意の人工呼吸システムであってもよいものと理解され得る。例示的実施形態においては、換気補助装置１０が、定置構成、拡張範囲構成、及びスタンドアロン構成の間で移行可能である。換気補助装置１０は、少なくとも、人工呼吸器１２、圧縮器ユニット１４、及び患者インタフェース８０を備える。図１に示す構成、すなわち定置構成において、人工呼吸器１２、圧縮器ユニット１４、及び患者インタフェース８０は一緒に使用される。ただし、後述するとおり、人工呼吸システムの移行先であり得る他の考察された構成においては、患者インタフェース８０の人工呼吸器１２及び換気補助装置１０が圧縮器ユニット１４から独立して使用されてもよい。
【００１２】
人工呼吸器１２は、換気ガスを提供するように動作し、例示的実施形態においては、付録Ａに記載された、Breathe Technologies Life2000人工呼吸器であってもよい。この装置は、同じく付録Ａに記載されているBreathe Technologies Life2000圧縮器と併用することができ、いくつかの実施形態においては、５０ＰＳＩの圧力源であり得る外部圧縮ガス源と併用することができる。換気ガスは、例えば酸素又は空気など、患者が換気補助装置１０を使用して呼吸できる任意のガスであり得る。
【００１３】
人工呼吸器１２は、圧縮ガスを受け取り、換気ガスを生成し、医療換気を必要とする患者に換気ガスを提供する既知の方法に従って動作し得る。ただし、例示的実施形態においては、人工呼吸器１２が、人工呼吸器の特定の既知の構成、及び／又は治療的呼吸補助を提供するために換気ガスを制御及び配送する方法に従って構成され、且つ／又は動作し得るものと考えられる。その方法は、例えば、参照によってその内容が本明細書に援用される、「SYSTEMS,METHODS,ANDAPPARATUS FOR RESPIRATORY SUPPORT OF APATIENT」と第する、出願人の米国特許第７，５３３，６７０号と；参照によってその内容が本明細書に援用される、「METHODS AND DEVICES FOR MINIMALLY INVASIVE RESPIRATORY SUPPORT」と第する、出願人の米国特許第８，３８１，７２９号と；参照によってその内容が本明細書に援用される、「SYSTEMS,METHODS,ANDAPPARATUS FOR RESPIRATORY SUPPORT OF A PATIENT」と第する、出願人の米国特許第８，４１８，６９４号と；参照によってその内容が本明細書に援用される、「METHODS AND DEVICES FOR PROVIDING INSPIRATORY AND EXPIRATORY FLOW RELIEF DURING VENTILATION THERAPY」と第する、出願人の米国特許第８，５６７，３９９号と；参照によってその内容が本明細書に援用される、「METHODS AND DEVICES FOR CONTROLLING VENTILATOR FUNCTIONS」と第する、出願人の米国特許第８，７７０，１９３号と；参照によってその内容が本明細書に援用される、「METHODS AND DEVICES FOR SENSING RESPIRATION AND CONTROLLING VENTILATOR FUNCTIONS」と第する、出願人の米国特許第８，７７６，７９３号と；参照によってその内容が本明細書に援用される、「MECHANICAL VENTILATION MASK FIT STATUS INDICATION」と第する、出願人の米国特許第８，８９５，１０８号と；参照によってその内容が本明細書に援用される、「CONTINUOUS POSITIVE AIRWAY PRESSURE(CPAP)THERAPY USING MEASUREMENTS OF SPEED AND PRESSURE」と第する、出願人の米国特許第９，３９９，１０９号と；参照によってその内容が本明細書に援用される、「METHOD AND SYSTEM FOR OPERATING A PATIENT VENTILATION DEVICE」と題する、出願人による同時係属中の米国特許出願第１３／５２４，９８３号（米国特許出願第２０１３／０３３３７０２号に対応）と；参照によってその内容が本明細書に援用される、「SELECTIVE RAMPING OF THERAPEUTIC PRESSURE IN A PATIENT BREATHING APPARATUS」と題する、出願人による同時係属中の米国特許出願第１３／５６６，９０２号（米国特許出願第２０１４／００３４０５５号に対応）と；参照によってその内容が本明細書に援用される、「DUAL PRESSURE SENSOR PATIENT VENTILATOR」と題する、出願人による同時係属中の米国特許出願第１３／８４１，１８９号（米国特許出願第２０１４／０２６１４２６号に対応）と；参照によってその内容が本明細書に援用される、「PORTABLE VENTILATOR SECRETION MANAGEMENT SYSTEM」と題する、出願人による同時係属中の米国特許出願第１３／８４９，４４３号（米国特許出願第２０１４／０２８３８３４号に対応）と；参照によってその内容が本明細書に援用される、「VENTILATOR WITH INTEGRATED COOLING SYSTEM」と題する、出願人による同時係属中の米国特許出願第１３／９２７，０１６）号（米国特許２０１４／０３７３８４２出願第号に対応）と；参照によってその内容が本明細書に援用される、「RESPIRATORY CYCLE PATIENT VENTILATION FLOW LIMITATION DETECTION」と題する、出願人による同時係属中の米国特許出願第１３／９３５，３６２号（米国特許出願第２０１５／００１１９０５号に対応）と；参照によってその内容が本明細書に援用される、「APNEA AND HYPOPNEA DETECTION」と題する、出願人による同時係属中の米国特許出願第１４／０２０，７２９号（米国特許出願第２０１５／００７３２９１号に対応）と；参照によってその内容が本明細書に援用される、「CONTINUOUS POSITIVE AIRWAY PRESSURE THERAPY AUTO-TITRATION」と題する、出願人による同時係属中の米国特許出願第１４／１０４，８４２号（米国特許出願第２０１５／０１６５１４３号に対応）と；参照によってその内容が本明細書に援用される、「SLEEP DETECTION FOR CONTROLLING CONTINUOUS POSITIVE AIRWAY PRESSURE THERAPY」と題する、出願人による同時係属中の米国特許出願第１４／１８１，４３１号（米国特許出願第２０１５／０２３１３４９号に対応）と；参照によってその内容が本明細書に援用される、「DETECTION OF PATIENT INTERFACE DISCONNECT FOR CONTROLLING CONTINUOUS POSITIVE AIRWAY PRESURE THERAPY」と題する、出願人による同時係属中の米国特許出願第１４／１８１，４３５号（米国特許出願第２０１５／０２３１３５０号に対応）と；参照によってその内容が本明細書に援用される、「CONTINUOUS POSITIVE AIRWAY PRESSURE THERAPY TARGET PRESSURE COMFORT SIGNATURE」と題する、出願人による同時係属中の米国特許出願第１４／４８２，４４４号（米国特許出願第２０１５／００６８５２８号に対応）と；参照によってその内容が本明細書に援用される、「ZERO PRESSURE START CONTINUOUS POSITIVE AIRWAY PRESSURE THERAPY」と題する、出願人による同時係属中の米国特許出願第１４／４８２，４４５号（米国特許出願第２０１５／００６８５２９号に対応）と、に開示された方法を備え得る。
【００１４】
圧縮器ユニット１４は、例示的実施形態においては、添付の付録Ａに記載されたBreathe Technologies Life2000圧縮器であり得る。この圧縮器は、継続的な圧縮ガス源を備えた人工呼吸器１２を提供し、更には人工呼吸器１２の充電ステーションとなり得る電空電源ユニットである。人工呼吸器１２及び圧縮器ユニット１４は、人工呼吸器１２が、例えば、図１に示すとおり、圧縮器ユニット１４に人工呼吸器１２を挿入することによって圧縮器ユニット１４とドッキングされるように構成されてもよいものと考えられる。ただし、人工呼吸器１２は、挿入以外の他の方法で圧縮器ユニット１４とドッキングされてもよく、ドッキングによって人工呼吸器１２と圧縮器ユニット１４との間で必要な流体接続が確立される限り、厳密なドッキング方法は重要ではないものと理解され得る。かかる流体接続に関しては以下により詳細に述べる。ただし、当業者であれば、人工呼吸器１２を圧縮器ユニット１４に挿入することを含むドッキング方式を用いると想定した場合に、人工呼吸器１２を収容する圧縮器ユニット１４内の受容体又は他の開口部の形状又はフォームファクタが、図１に示すとおり、人工呼吸器１２自体の形状又はフォームファクタに対して相補的となり、これにより、この２つの構造的特徴部間での滑らかで幾分シームレスな統合による機能的及び視覚的効果の両方が提供されるということを認識するであろう。
【００１５】
次に図２を参照すると、例示的実施形態に係る人工呼吸器１２の正面図が示されている。図２の例に示すとおり、人工呼吸器１２は、例えば、ディスプレイ１６と、人工呼吸器電源ボタン２０と、人工呼吸器の電源インジケータランプ２２と、アラームスピーカ２４と、バックアップアラームスピーカ２６と、呼吸インジケータランプ２８を含むユーザインタフェース１８と、を備え得る。ユーザインタフェース１８は、高活動量ボタン１８ａ、中活動量ボタン１８ｂ、及び低活動量ボタン１８ｃなどの処方指示設定ボタンを含んでもよく、他のボタン、ダイヤル、スライダ、スイッチ等を更に含んでもよい。ディスプレイ１６はタッチスクリーンであってもよく、その場合、ユーザインタフェース１８はディスプレイ１６のタッチスクリーン機能を更に備えてもよい。したがって、人工呼吸器のユーザインタフェース１８は、ユーザ入力を受け取るように構成される得るものと理解され得る。
【００１６】
次に図３を参照すると、人工呼吸器１２の例示的実施形態の側面図が示されている。図３に示された実施形態に示すとおり、人工呼吸器１２は、圧縮器ユニット１４とドッキングされていない場合に人又は物体への人工呼吸器１２の取り付けを支援するために、ベルトクリップ又は他の取付具に取り付けるためのベルトクリップソケット３０など、他の態様を更に備え得る。ベルトクリップソケット３０は、人工呼吸器１２の両側に備えられ得る（図３では片側のみ図示）。また、人工呼吸器は、充電式バッテリ２９と無線送信機３１とを内蔵し得る。
【００１７】
次に図４を参照すると、人工呼吸器１２の例示的実施形態の上面図が示されている。図４の例に示すとおり、人工呼吸器１２は、人工呼吸器用バッテリ充電器接続ポート３２と、人工呼吸器側アラーム消音ボタン３４と、追加ポート３６と、を更に備え得る。人工呼吸器側アラーム消音ボタン３４は、（例えば、付録Ａの３９及び４９ページに記載されているように）アラームの音を消す目的で使用され得る。追加ポート３６は、例えば、ファームウェアアップデート、既定の動作モード、又はエラーログなどのデータを送受信するなど、人工呼吸器１２とインタフェースする目的でメーカーによって使用され得る。例示的実施形態において、追加ポート３６はＵＳＢポートである。ただし、他の実施形態においては、追加ポートが、デバイス間でのインタフェースを目的とした当該技術分野における既知の任意のポート又は将来開発される任意のポートであってもよく、あるいは完全に省略されてもよいものと理解され得る。
【００１８】
次に図５を参照すると、人工呼吸器１２の例示的実施形態の底面図が示されている。図５の例に示すとおり、人工呼吸器１２は、人工呼吸器の換気ガス排出ポート３８と人工呼吸器の圧縮ガス取入ポート４０とを更に備え得る。人工呼吸器の換気ガス排出ポート３８は、例示的実施形態において、例えば、「JET PUMP ADAPTOR FOR VENTILATION SYSTEM」と題する出願人の同時係属中米国特許出願第１４／０２０，０３２号（米国特許出願公開第２０１５／００６８５１９号に対応）に記載された患者インタフェース８０の複数管腔患者インタフェースガス取入ポート８１を受容するように構成されてもよく、その内容が参照によって本明細書に援用される。更に、患者インタフェースは、例えば、出願人の米国特許第８，８３９，７９１号、第８，８４４，５３３号、第９，０３８，６３４号、第９，０３８，６３５号、第９，１３２，２５０号、第９，１８０，２７０号、第９，２２７，０３４号、及び第９，３２７，０９２号などに記載されたインタフェースであってもよく、これらの内容は参照によって本明細書に援用される。ただし、他の実施形態においては、人工呼吸器の換気ガス排出ポート３８が、患者に呼吸ガスを届けるための、患者インタフェース８０の患者インタフェースガス取入ポート８１を受容するか、又は他の方法で患者インタフェースガス取入ポート８１に流体接続するように構成されてもよく、患者インタフェース８０は、ネーザルインタフェース、ネーザルマスク、呼吸マスク、又は鼻腔マスク、又は挿管デバイスを含むが、これらに限定されないものと理解され得る。
【００１９】
次に図６を参照すると、換気補助装置１０の例示的実施形態の圧縮器ユニット１４の正面斜視図が示されている。図６の例に示すとおり、圧縮器ユニット１４は、人工呼吸器ドック４２と、圧縮器電源インジケータランプ４４と、圧縮器電源ボタン４６と、係止ノブ４８と、係止アイコン５０と、係止解除アイコン５２と、バッテリ充電ステータスボタン５４と、バッテリ充電インジケータ５６と、圧縮器ユニットの圧縮ガス排出ポート５８と、圧縮器ユニットの換気ガス排出ポート６０と、を備え得る。人工呼吸器ドック４２は、人工呼吸器ドックの圧縮ガス排出ポート４３と人工呼吸器ドックの換気ガス取入ポート４５とを有してもよく、人工呼吸器１２に給電するため、及び人工呼吸器１２が人工呼吸器ドック４２にドッキングされているときに人工呼吸器１２の充電式バッテリ２９を再充電するための電力を人工呼吸器１２に提供するように構成され得る。人工呼吸器ドックの圧縮ガス排出ポート４３は、人工呼吸器１２がドッキングポート４２にドッキングされているときに人工呼吸器の圧縮ガス取入ポート４０とインタフェースして２つのポート間に概ね密閉された流体接続を形成するように構成され得る。同様に、人工呼吸器ドックの換気ガス取入ポート４５は、人工呼吸器１２がドッキングポート４２にドッキングされているときに人工呼吸器の換気ガス排出ポート３８とインタフェースして、２つのポート間に概ね密閉された流体接続を形成するように構成され得る。更に、ドッキングポート４２は、人工呼吸器１２に給電するため、及び充電式バッテリ２９を充電するためのドッキングポート４２にドッキングされたときに人工呼吸器１２に電力を提供するように、人工呼吸器１２の人工呼吸器用バッテリ充電器接続ポート３２とインタフェースするための電力導管を更に備え得るものと理解され得る。この電力導管は、特定の実施形態において、係止ノブ４８が作動したときなどに人工呼吸器用バッテリ充電器接続ポート３２への引込み及びその後の挿入又は他の形態の接続を許可するように構成され得る。これにより、ドッキングポート４２内への人工呼吸器１２の挿入が容易になるということが理解され得る。当業者であれば、図２〜図５に示すような、相補的で概ね四角形（すなわち長方形）の人工呼吸器１２の構成、ならびに圧縮器ユニット１４内の対応ドッキングポート４２が例示的なものに過ぎず、本発明の精神及び範囲から逸脱しない限り、代替的な相補的形状で代用され得るということを認識するであろう。
【００２０】
係止アイコン４６は更に、人工呼吸器充電インジケータランプとしても機能し得る。圧縮器ユニットの圧縮ガス排出ポート５８は、例示的実施形態において、Diameter Index Safety System（ＤＩＳＳ）連結器であってよく、例えば、ＤＩＳＳ１２４０出力接続ポートであってよい。ただし、他の実施形態においては、圧縮ガス排出ポート５８が、圧縮ガスを送出するのに適した任意のポートであってもよいものと理解され得る。
【００２１】
次に図７を参照すると、圧縮器ユニット１４の例示的実施形態の背面斜視図が示されている。例示的実施形態においては、圧縮器ユニット１４が、圧縮ガスを提供するための圧縮器８３（内蔵）に加えて、ハンドル６２と、低流量ガス（例えば酸素）吸入ポート６４と、内蔵バッテリ６６と、外気フィルタカバー６８と、１つ以上の外気口７０と、水トレイ７２と、電源接続ポート７４と、アラームスピーカ７６（内蔵）と、圧縮器側アラーム消音ボタン７８と、無線受信機７９（内蔵）と、を更に備える。ハンドル６２は、圧縮器ユニット１４が持ち運ばれても直立位置に確実に留まるように配置され得る。１つ以上の外気口７０は、粒子状物質が圧縮器ユニット内に入るのを防ぐための外気フィルタ７１を備え得る。電源接続ポート７４は、着脱可能又は変位可能なカバーを備え得る。圧縮器側アラーム消音ボタン７８は、（例えば、付録Ａの２４ページに記載されているように）アラームの音を消す目的で使用され得る。ＡＣ電源コード（例えば付録Ａの１７ページに記載）を用いて外部電源を電源接続ポート７４に接続することにより、圧縮器ユニット１４にＡＣ電力が供給される。圧縮器８３は、外気及び／又は低圧ガスを圧縮するように、かつ圧縮ガスを生成し、その後人工呼吸器１２に届けるように構成され得る。例示的実施形態においては、１つ以上の外気口７０により、外気が外気フィルタ７１を通じて圧縮器８３に導入され、（例えば、付録Ａの１４２ページに記載されているような）圧縮器８３によって加圧される。例えば、低圧ガスが低流量ガス吸入ポート６４を介して圧縮器８３に導入されてもよく、かかる低圧ガスは外気を代替又は補完し得るということも理解され得る。
【００２２】
次に図８を参照すると、定置構成における換気補助装置１０の概略図が示されている。換気補助装置１０が定置構成のときには、圧縮器ユニット１４が平坦な水平面上に好ましくは直立配置されている状態のときに、人工呼吸器１２が圧縮器ユニット１４とドッキングされる。
【００２３】
次に図９Ａ〜図９Ｄを参照すると、例示的実施形態において、４ステップを有するプロセスで定置構成へと移行する換気補助装置１０の正面図（図９Ａ及び図９Ｄ）及び拡大切欠正面斜視図（図９Ｂ及び図９Ｃ）が示されている。ただし、他の実施形態においては、人工呼吸器１２をドッキングポート４２にドッキングするプロセスが異なり得るということも理解され得る。ドッキングプロセスの例示的実施形態によれば、まず、人工呼吸器１２の電源を確実に切った（人工呼吸器１２の電源は人工呼吸器電源ボタン２０を使用して切られ得る）後、圧縮器ユニット１４上の係止ノブ４８が、図９Ａに示す係止解除位置、例えば、係止ノブ４８の適切なインジケータマークが係止解除アイコン５２と対向する位置にあることが確認される。次に、図９Ｂに示すとおり、人工呼吸器１２が、一端（例えば下端）が最初に図示のように挿入された圧縮器ユニット１４の人工呼吸器ドック４２内に位置決めされ、定位置に収まるまでその一端の方向（例えば、図９Ｂの矢印の方向）に押し込まれて、人工呼吸器の圧縮ガス取入ポート４０が、人工呼吸器ドックの圧縮ガス排出ポート４３と概ね密閉された流体接続を形成するようにインタフェースされ、人工呼吸器の換気ガス排出ポート３８が、人工呼吸器ドックの換気ガス取入ポート４５と概ね密閉された流体接続を形成するようにインタフェースされたことを示す。続いて、図９Ｃに示すとおり、人工呼吸器１２の前部が圧縮器ユニット１４の前部と面一になり、人工呼吸器１２が定位置に収まるまで、人工呼吸器１２の中心が圧縮器ユニット１４の方向に押される（例えば、図９Ｃの「ここを押す」で押される）。最後に、図９Ｄに示すとおり、圧縮器ユニット１４上の係止ノブ４８が、係止位置、例えば、係止ノブ４８の適切なインジケータマークが係止アイコン５０と対向する位置まで回される。このようにして、人工呼吸器１２は圧縮器ユニット１４とドッキングされ得る。上記のとおり、係止アイコン５０は、人工呼吸器充電インジケータランプとして機能し得る。こうして、圧縮器ユニット１４の電源が入れられ、人工呼吸器１２が正しくドッキングされると、係止アイコン５０が点灯して、人工呼吸器１２が圧縮器ユニット１４によって充電されていることを表し得る。
【００２４】
次に図１０を参照すると、患者インタフェース８０を含む、定置構成における換気補助装置１０の正面斜視図が示されている。患者インタフェース８０は、換気ガスを受け取り、患者に届けるためのものであり、非侵襲的マスク（例えば、フルフェイスマスク、ネーザルマスク、ピローマスク）又は気管切開チューブを換気補助装置１０又は人工呼吸器１２に接続する目的で使用される任意の専用又はユニバーサルインタフェースであり得る。患者インタフェース８０は、例えば、例示的実施形態において、Breath Technologies Universal Circuit（商標）インタフェースであり得る。患者インタフェース８０は、圧縮器ユニット１４の圧縮器ユニットの圧縮ガス排出ポート５８と流体連通する配置と人工呼吸器１２の人工呼吸器の換気ガス排出ポート３８との流体連通状態との間で移行可能な患者インタフェースガス取入ポート８１を有する。図１０に示すとおり、換気補助装置１０が定置構成のときには、患者インタフェース８０が圧縮器ユニットの圧縮ガス排出ポート５８に差し込まれ得る。
【００２５】
次に図１１を参照すると、低流量ガスチューブ８２と、定置構成における換気補助装置１０の拡大切欠背面斜視図が示されている。酸素を原料ガスとして使用する処方指示設定を用いるときには、固定酸素濃縮装置などの低流量補助酸素源（非図示）が圧縮器ユニット１４に接続され得る。図１１に示すとおり、酸素接続チューブ８２の一端は、例えば、完全に、かつしっかりと装着されるまで押し回すことによって低流量ガス吸入ポート６４に装着され得る。酸素接続チューブ８２の他端は、低流量補助酸素源に接続されてもよく、その後で電源が入れられ得る。換気補助装置１０が定置構成の場合には、圧縮器電源ボタン４６を押して圧縮器ユニット１４の電源を入れてもよい。電源が入れられると、圧縮器の電源インジケータランプ４４が点灯して電源を表し得る。例えば、圧縮器の電源インジケータランプ４４の緑色点灯は、圧縮器が（例えば、電源接続ポート７４及びＡＣ電源コードを介して外部電源に接続することによって）ＡＣ電源に接続されていることを表し得るのに対し、圧縮器の電源インジケータランプ４４の橙色点灯は、圧縮器が、以下に記載する内蔵バッテリ電力を使用していることを表し得る。例示的実施形態の電源投入順序によれば、人工呼吸器電源ボタン２０を押すことによって人工呼吸器１２の電源が入れられると、人工呼吸器の電源インジケータランプ２２が点灯し得る。圧縮器ユニット１４及び人工呼吸器１２の電源投入後、種々のテスト（例えば、アラームスピーカのテスト）が実施されてもよく、ディスプレイ１６に起動画面が表示されて、ディスプレイ１６が最終的に「ホーム」画面（例えば、付録Ａの２１ページに記載）を表示してもよい。
【００２６】
圧縮器ユニット１４は、一時的な電力中断を緩和するための内蔵バッテリ６６を備え得る。圧縮器ユニット１４の内蔵バッテリ６６は、圧縮器ユニット１４が（例えば、電源接続ポート７４及びＡＣ電源コードを介した外部電源への接続によって）ＡＣ電源に接続されたときに充電され得る。圧縮器ユニット１４の内蔵バッテリ６６は、例えば２時間分の最大充電量を有し得る。バッテリ充電インジケータ５６は、例えばバッテリ充電ステータスボタン５４を囲むなど、バッテリ充電計として配置された一連のインジケータランプを備えてもよく、このバッテリ充電計は、圧縮器ユニット１４の現在のバッテリ充電レベルを示す（例えば、付録Ａの２２〜２３ページに記載）。バッテリ充電ステータスボタン５４は、例えば、圧縮器ユニット１４の電源が切られたときにバッテリ充電インジケータ５６を点灯する目的で使用され得る。
【００２７】
換気補助装置１０が定置構成に移行すると、人工呼吸器１２が圧縮器ユニット１４の人工呼吸器ドック４２でドッキングされ、人工呼吸器の圧縮ガス取入ポート４０が人工呼吸器ドックの圧縮ガス排出ポート４３と流体連通し、人工呼吸器の換気ガス排出ポート３８が人工呼吸器ドックの換気ガス取入ポート４５と流体連通し、患者インタフェース８０の患者インタフェースガス取入ポート８１が圧縮器ユニットの換気ガス排出ポート６０と流体連通し、その結果、圧縮ガスが圧縮器ユニット１４によって人工呼吸器１２に提供され、換気ガスが、圧縮器ユニット１４に戻された後、例えば圧縮器ユニットの換気ガス排出ポート６０を介して圧縮器ユニット１４から患者インタフェース８０に出力される。
【００２８】
換気補助装置１０が定置構成だと、圧縮器電源ボタン４６を押すことによって圧縮器ユニット１４の電源が切られ得る。好適な電源切断順序によれば、人工呼吸器１２の電源はその後、例えば、人工呼吸器電源ボタン２０を３秒間押し、ディスプレイ１６を使用して電源の切断を確認するなど、人工呼吸器電源ボタン２０を使用して切られ得る（例えば、付録Ａの２５ページに記載）。
【００２９】
次に図１２を参照すると、拡張範囲構成における換気補助装置１０の概略図が示されている。上述のとおり、換気補助装置１０は、患者のニーズが変わるのに応じて、異なる動作構成で使用され得る。拡張範囲構成においては、人工呼吸器１２が、日常生活の活動を可能にするために、圧縮ガスホース８４を用いて圧縮器ユニット１４に接続されている。圧縮ガスホース８４は、例えば６フィートや５０フィートなど、任意の長さの高圧ホースであり得る。例示的実施形態においては、圧縮ガスホース８４が、ＤＩＳＳ固定具を介して、圧縮器ユニット１４の圧縮器ユニットの圧縮ガス排出ポート５８及び人工呼吸器１２の人工呼吸器の圧縮ガス取入ポート４０に接続する。ただし、拡張範囲構成における換気補助装置１０の他の実施形態においては、圧縮ガスホース８４が、公知の方法又は将来開発される方法に従って圧縮器ユニットの圧縮ガス排出ポート５８を人工呼吸器の圧縮ガス取入ポート４０に接続してもよい。
【００３０】
次に図１３Ａ及び図１３Ｂを参照すると、例示的実施形態に係る、定置構成から移行している換気補助装置１０の正面図及び拡大切断正面斜視図が２ステップで示されている。まず、人工呼吸器１２の電源を確実に切断した（人工呼吸器１２の電源は人工呼吸器電源ボタン２０を使用して切られ得る）後、圧縮器ユニット１４上の係止ノブ４８が、図１３Ａに示す係止解除位置、例えば、係止ノブ４８の適切なインジケータマークが係止解除アイコン５２と対向する位置まで回され、その時点で圧縮器ユニット１４が人工呼吸器１２を押し出す。最後に、図１３Ｂに示すとおり、人工呼吸器１２が、圧縮器ユニット１４の人工呼吸器ドック４２から離れるまで、圧縮器ユニット１４のドック４２から人工呼吸器１２の残りの挿入端（例えば下端）を取り外す方向に引っ張られる（例えば図１３Ｂの矢印の方向に引っ張られる）。このようにして、人工呼吸器１２は圧縮器ユニット１４からドッキング解除され得る。
【００３１】
次に図１４を参照すると、例示的実施形態に係る、拡張範囲構成における、圧縮ガスホース８４を介した圧縮器ユニット１４への人工呼吸器１２の接続の概略図が示されている。圧縮ガスホース８４を介して圧縮器ユニット１４に人工呼吸器１２を接続することにより、人工呼吸器１２を、圧縮器ユニット１４とドッキングせずに使用することが可能となる。好適な接続順序によれば、まず、人工呼吸器１２の電源が確実に切られる。圧縮器ユニット１４の電源は切られても入れられてもよい。次に、人工呼吸器１２が、例えば図１３と関連付けて記載されている例示的方法によって圧縮器ユニット１４からドッキング解除される。圧縮ガスホース８４はその後、圧縮器ユニットの圧縮ガス排出ポート５８に取り付けられる。例えば、圧縮器ユニットの圧縮ガス排出ポート５８がＤＩＳＳ１２４０出力接続ポートである例示的実施形態においては、圧縮ガスホースが、圧縮ガスホース８４のＤＩＳＳ接続を介して圧縮器ユニットの圧縮ガス排出ポート５８に接続され得る。最後に、小型のクイック接続端を定位置に収まるまで人工呼吸器の圧縮ガス取入ポート４０に押し込むなどして、圧縮ガスホース８４の他端が人工呼吸器１２の人工呼吸器の圧縮ガス取入ポート４０に接続される。
【００３２】
次に図１５を参照すると、人工呼吸器１２の正面斜視図が示されており、患者インタフェース８０と人工呼吸器１２の底部とが図示されている。図１５に示すとおり、拡張範囲構成においては、患者インタフェース８０が人工呼吸器の換気ガス排出ポート３８に差し込まれてもよい。
【００３３】
例示的実施形態においては、換気補助装置１０が拡張範囲構成にあるとき、圧縮器電源ボタン４６を押すことによって圧縮器ユニット１４の電源を入れることができ、電源が入れられると、圧縮器電源インジケータランプ４４が点灯して、換気補助装置１０が定置構成にあるときと同じように電源を表し得る。例えば、圧縮器の電源インジケータランプ４４の緑色点灯は、圧縮器が（例えば、電源接続ポート７４及びＡＣ電源コードを介して外部電源に接続することによって）ＡＣ電源に接続されていることを表し得るのに対し、圧縮器の電源インジケータランプ４４の橙色点灯は、圧縮器が、以下に記載する内蔵バッテリ電力を使用していることを表し得る。例示的な電源投入順序を続けた後、換気補助装置１０が定置構成にあるときと同じようにして人工呼吸器電源ボタン２０を押すことにより、人工呼吸器１２の電源が入れられ得る。電源が入れられると、人工呼吸器の電源インジケータランプ２２が点灯し得る。圧縮器ユニット１４及び人工呼吸器１２の電源投入後、種々のテスト（例えば、アラームスピーカのテスト）が実施されてもよく、ディスプレイ１６に起動画面が表示されて、ディスプレイ１６が最終的に「ホーム」画面（例えば、付録Ａの３３ページに記載）を表示してもよい。上記のとおり、圧縮器ユニット１４は、一時的な電力中断に備えた内蔵バッテリ６６を備え得る。圧縮器ユニット１４の内蔵バッテリ６６、バッテリ充電インジケータ５６、バッテリ充電ステータスボタン５４の動作は、拡張範囲構成においても、定置構成の場合と同じであり得る。ただし、圧縮器ユニット１４は、例えば人工呼吸器１２のユーザインタフェース１８におけるユーザ入力など、代替的な方法で電源を投入又は切断してもよく、人工呼吸器１２の無線送信機３１が圧縮器ユニット１４の無線受信機７９と通信し得るということが理解され得る。
【００３４】
人工呼吸器１２はまた、換気補助装置１０が拡張範囲構成された範囲内にあるときなど、圧縮器ユニット１４からドッキング解除されているときに使用する充電式バッテリ２９を備え得る。人工呼吸器１２の充電式バッテリ２９は、人工呼吸器１２が圧縮器ユニット１４とドッキングされているときに充電し得る。圧縮器ユニット１４は、上記のとおり、人工呼吸器１２用の充電ステーションとして機能し得る。人工呼吸器１２の充電式バッテリ２９は、人工呼吸器用バッテリ充電器接続ポート３２を壁面コンセントや発電装置などの電源に接続する人工呼吸器用バッテリ充電器８６を介してなど、他の方法で充電してもよい。人工呼吸器１２の充電式バッテリ２９は、例えば、４時間分の最大充電量を有し得る。そして、人工呼吸器１２がオフかオンかに関係なく、フル充電するのに約３〜４時間かかり得る。（例えば、人工呼吸器電源インジケータランプ２２が点灯している人工呼吸器電源ボタン２０を介して）人工呼吸器１２の電源が入れられると、ディスプレイ１６上の人工呼吸器用バッテリ充電アイコンが、人工呼吸器１２の充電式バッテリ２９の現在のバッテリ充電レベルを示し得る（例えば、付録Ａの３６ページに記載）。次に図１６を参照すると、人工呼吸器用バッテリ充電器コード８８を介して人工呼吸器１２と人工呼吸器用バッテリ充電器８６との接続の概略図が示されている。人工呼吸器用バッテリ充電器コード８８は、人工呼吸器用バッテリ充電器８６に一体的又は着脱可能に接続され得る。人工呼吸器１２を人工呼吸器用バッテリ充電器８６に接続することにより、人工呼吸器１２を圧縮器ユニット１４とドッキングしなくても、人工呼吸器１２の内蔵バッテリを充電することができる。好適な接続順序によれば、人工呼吸器のＡＣ電源コード９０は、まず人工呼吸器用バッテリ充電器８６に接続され、その後ＡＣ電源に差し込まれる。次に、人工呼吸器用バッテリ充電器コード８８（人工呼吸器用バッテリ充電器８６に接続済み）は、人工呼吸器１２の人工呼吸器用バッテリ充電器接続ポート３２に接続される（例えば、付録Ａの３７ページに記載）。
【００３５】
次に図１７Ａ及び１７Ｂを参照すると、２ステップを有する例示的プロセスで人工呼吸器１２がベルトクリップ９２に取り付けられる様子を示す斜視図が示されている。ベルトクリップ９２は、ベルト又はウェストバンド上に装着可能となるように人工呼吸器１２を固定する目的で使用してもよく、例えば、人工呼吸器１２上のベルトクリップソケット３０に対応する突起部を備えてもよい。まず、図１７Ａに示すとおり、ベルトクリップ９２は、ベルトクリップ９２をベルト又はウェストバンド上に位置付け、ベルトクリップ９２が動かなくなるまで押し下げる（例えば、図１７Ａに示す矢印の方向に）ことによってベルト又はウェストバンドにしっかりと固定される。最後に、図１７Ｂに示すとおり、ベルトクリップ９２は、人工呼吸器１２上のベルトクリップソケット３０と整列し得る、そして人工呼吸器１２は、例えば、ベルトクリップ９２の突起部が人工呼吸器１２上のベルトクリップソケット３０に入るなど、接続するまでベルトクリップ９２の方に押し込まれ、カッチという可聴音を出す。このようにして、人工呼吸器１２は、換気補助装置１０が拡張範囲構成にあるときに装着可能となり得る。代替として、人工呼吸器１２は、拡張範囲構成において、スタンドアロン構成に関する以下の記載のようにポールマウント９４に取り付けてもよい。ただし、圧縮器ユニット１４とドッキングされていない構成においては、人工呼吸器１２を取り付け又は他の方法で使用するためのスキームが多数存在し得ることから、例示された具体的な方法が本開示の範囲を限定するものと解釈されるべきではないものと理解され得る。
【００３６】
換気補助装置１０が拡張範囲構成に移行すると、人工呼吸器１２が人工呼吸器ドック４２にドッキングされず、人工呼吸器の圧縮ガス取入ポート４０が圧縮器ユニットの圧縮ガス排出ポート５８と流体連通し、患者インタフェース８０の患者インタフェースガス取入ポート８１が人工呼吸器の換気ガス排出ポート３８と流体連通するため、圧縮ガスが圧縮器ユニット１４によって人工呼吸器１２に提供され、換気ガスが、圧縮器ユニット１４に戻されることなく、人工呼吸器１２によって患者インタフェース８０に提供される。
【００３７】
換気補助装置１０が拡張範囲構成にある場合、例示的実施形態においては、人工呼吸器電源ボタン２０を押すことにより、例示的実施形態の人工呼吸器１２の電源が切られ得る。例示的実施形態において、この操作は、人工呼吸器電源ボタン２０を３秒間押し、ディスプレイ１６を使用して電源の切断を確認する（例えば、付録Ａの４０ページに記載）ことによって実施され得る。例示的な電源切断順序によれば、その後、圧縮器電源ボタン４６を使用して圧縮器ユニット１４の電源が切られ得る。人工呼吸器１２の電源が切られた状態だと、圧縮ガスホース８４を人工呼吸器１２及び圧縮器ユニット１４から取り外す（例えば付録Ａの４１ページに記載）ことにより、拡張範囲構成を終了させることができる。
【００３８】
次に図１８を参照すると、スタンドアロン構成の換気補助装置１０の概略図が示されている。上述のとおり、換気補助装置１０は、患者のニーズが変わるのに応じて、異なる動作構成で使用され得る。スタンドアロン構成の例示的実施形態においては、人工呼吸器１２が、圧縮ガスホース８４を介して、空気又は酸素ガスボンベ（５０ＰＳＩ、及び／又は４１ＰＳＩにおいて４０ＬＰＭ未満）又は壁面接続部などの外部圧縮ガス源１００に接続される。ただし、他の実施形態においては、外部圧縮ガス源１００が、人工呼吸器１２での使用に適した任意の圧縮ガス提供源を含み得るものと理解され得る。例示的実施形態においては、人工呼吸器１２が、医療用の圧縮空気又は酸素と互換的であり得る。ただし、特定の実施形態においては、人工呼吸器１２が、一方又は他方での使用、又は他の圧縮ガス又は圧縮ガスの混合物での使用にのみ適し得るものと理解され得る。
【００３９】
換気補助装置１０が定置構成からスタンドアロン構成に移行するとき、人工呼吸器１２を、拡張範囲構成への移行に関して図１３Ａ及び１３Ｂと関連付けて上述した方法で圧縮器ユニット１４からドッキング解除してもよい。スタンドアロン構成の例示的実施形態においては、人工呼吸器１２がこのようにしてドッキング解除された後に、圧縮器電源ボタン４６を使用して圧縮器ユニット１４の電源が切られ得る。
【００４０】
換気補助装置１０がスタンドアロン構成の場合には、例示的実施形態において、例示的な換気補助装置１０が定置構成又は拡張範囲構成のときと同じようにして人工呼吸器電源ボタン２０を押すことにより、人工呼吸器１２の電源が入れられ得る。電源を入れると、人工呼吸器電源インジケータランプ２２が点灯し得る。圧縮器ユニット１４及び人工呼吸器１２の電源投入後、種々のテスト（例えば、アラームスピーカのテスト）が実施されてもよく、ディスプレイ１６に起動画面が表示されて、ディスプレイ１６が最終的に「ホーム」画面（例えば、付録Ａの４４ページに記載）を表示してもよい。上記のとおり、人工呼吸器１２は、例えば、換気補助装置１０が拡張範囲構成又はスタンドアロン構成のときなど、圧縮器ユニット１４からドッキング解除されているときに使用する内蔵バッテリ６６を備え得る。人工呼吸器１２の内蔵バッテリ６６及びディスプレイ１６上の人工呼吸器用バッテリ充電アイコンの動作、ならびに人工呼吸器用バッテリ充電器接続ポート３２、人工呼吸器用バッテリ充電器８６、人工呼吸器用バッテリ充電器コード８８、及び人工呼吸器ＡＣ電源コード９０の使い方は、スタンドアロン構成であっても、拡張範囲構成（例えば、付録Ａの４５〜４６ページに記載）と同じであり得る。更に、スタンドアロン構成においては、患者インタフェース８０が、図１５に示され、拡張範囲構成に関して記載されている方法で人工呼吸器の換気ガス排出ポート３８に差し込まれ得る。
【００４１】
換気補助装置１０がスタンドアロン構成の場合には、人工呼吸器１２が、図１７Ａ及び図１７Ｂと関連付けて上述した方法で、ベルトクリップ９２を介してベルト又はウェストバンドに装着可能であり得る。代替として、スタンドアロン構成又は拡張範囲構成のどちらにおいても、ベルトクリップ９２は、下記のとおり、ポールマウント９４を介して人工呼吸器１２をポールに固定する目的で使用され得る。ただし、本開示の範囲から逸脱しない限り、人工呼吸器１２を固定する他の方法、及び固定され得る他の位置が実現され得るということも理解され得る。
【００４２】
次に図１９Ａ〜図１９Ｃを参照すると、３ステップを有するプロセスで人工呼吸器１２がベルトクリップ９２及びポールマウント９４を介してポールに固定されている様子の例示的実施形態を示す斜視図が示されている。まず、図１９Ａに示すとおり、ポールマウント９４が所望の配向でポールの周囲に位置付けされ、ポールに固定される。図１９Ａ〜図１９Ｃに示す例においては、ポールマウント９４が、ノブ９８を回すことによってポールの周りに締め付けることができ、それによってポールマウント９４をポールに固定できるバイスクランプ９６を備える。次に、図１９Ｂに示すとおり、ベルトクリップ９２が、ポールマウント９４の最上部の穴に、固定されるまで摺入され、（例えば、図１９Ｂに示す矢印の方向に）押し下げられる。最後に、ベルトクリップ９２が人工呼吸器１２上のベルトクリップソケット３０と整列し、人工呼吸器１２が、接続されるまで、例えば、ベルトクリップ９２の突起部が人工呼吸器１２上のベルトクリップソケット３０に入るまで、ベルトクリップ９２の方に押し込まれ、カッチという可聴音を出す。
【００４３】
次に図２０Ａ〜図２０Ｃを参照すると、３ステップを有する例示的プロセスで人工呼吸器１２を外部圧縮ガス源１００に接続することによって換気補助装置１０がスタンドアロン構成に移行する様子の例示的実施形態の斜視図（図２０Ａ及び図２０Ｂ）及び上面図（図２０Ｃ）が示されている。まず、人工呼吸器１２の電源を切った状態（人工呼吸器電源ボタン２０を使用して人工呼吸器１２の電源が切られ得る）で、例えば、酸素調節器１０２を酸素ボンベの頸部（外部圧縮ガス源１００）の上に摺動させ、頸部に穴のある酸素調節器１０２上でピンを整列させ、ハンドルを回すことによって酸素調節器１０２上のＴネジを締め付けるなどして、酸素調節器１０２が、図２０Ａに示すとおり、外部圧縮ガス源１００に接続される。次に、図２０Ｂに示すとおり、圧縮ガスホース８４が酸素調節器１０２、例えば、酸素調節器１０２のＤＩＳＳコネクタ端に接続される。最後に、図２０Ｃに示すとおり、外部圧縮ガス源１００及び酸素調節器１０２の好適な使用方法に従ってガス供給をオンにした後、小型のクイック接続端を所定位置に収まるまで人工呼吸器の圧縮ガス取入ポート４０上に押すなどの方法で、圧縮ガスホース８４の他端が人工呼吸器１２に接続される。外部圧縮ガス源１００はその後、例えば付録Ａの５３ページの記載に従って交換され得る。
【００４４】
図２０Ａ〜図２０Ｃに図示された例示的実施形態においては、外部圧縮ガス源１００が酸素ボンベであり、圧縮ガスホース８４及び酸素調節器１０２が使用されている。ただし、他の実施形態においては、外部圧縮ガス源１００が、例えば、別のガスもしくは酸素以外のガス混合物、携帯用ガス圧縮器、又は酸素濃縮装置といった別の酸素源など、異なり得るものと理解され得る。外部圧縮ガス源１００がエアボンベである場合には、圧縮ガスホース８４の代わりにエアホースなど別のホースを使用してもよく、酸素調節器１０２の代わりに別の適切な調節器を使用してもよい。
【００４５】
換気補助装置１０がスタンドアロン構成に移行すると、人工呼吸器１２は人工呼吸器ドック４２にドッキングされず、人工呼吸器の圧縮ガス取入ポート４０が外部圧縮ガス源１００と流体連通し、患者インタフェースガス取入ポート８１が人工呼吸器の換気ガス排出ポート３８と流体連通し、その結果、圧縮ガスが外部圧縮ガス源１００によって人工呼吸器１２に提供され、換気ガスが、人工呼吸器１２により、圧縮器ユニット１４を通過せずに患者インタフェース８０に提供される。
【００４６】
典型的な実施形態の換気補助装置１０がスタンドアロン構成の場合、例えば、人工呼吸器電源ボタン２０を３秒間押し、ディスプレイ１６を使用して電源の切断を確認する（例えば、付録Ａの４０ページに記載）など、拡張範囲構成のときと同じ方法で人工呼吸器電源ボタン２０を押すことにより、人工呼吸器１２の電源が切られ得る。人工呼吸器１２の電源が切られたら圧縮ガスホース８４を人工呼吸器１２及び外部圧縮ガス源１００から取り外すことにより、スタンドアロン範囲構成を終了することができる。
【００４７】
上記のとおり、人工呼吸器１２は無線送信機３１を備えてもよく、圧縮器ユニット１４は無線受信機７９を備えてもよい。上記の構成（例えば、定置構成、拡張範囲構成、又はスタンドアロン構成）のいずれにおいても、圧縮器ユニット１４の圧縮器８３は、ユーザインタフェース１８でのユーザ入力によって開始される無線送信機３１から無線受信機８３への信号伝送によって制御可能であり得る。このようにして、人工呼吸器１２の患者又は他のユーザは、人工呼吸器１２が圧縮器ユニット１４とドッキングされているかどうかに関係なく、換気補助装置１０を無線制御することができる。無線送信機３１と無線受信機８３との間での信号伝送は、当該技術分野で公知である任意の無線通信規格に従い得る。代替として、人工呼吸器１２は、有線接続によって圧縮器ユニット１４と通信してもよく、その場合には、無線送信機３１及び無線受信機７９を省いてよい。ただし、無線通信は、人工呼吸器１２がすべての構成において換気補助装置１０の電子的に制御可能な全側面を制御するように構成することができ、圧縮器ユニット上に別のコントロール群を必要とせず、有線信号リンクの存在も必要としないという点で有利であり得るものと理解され得る。
【００４８】
上記の構成のいずれかで換気補助装置１０を使用できる理由の一部が、マイクロプロセッサの制御下にあるその電気機械的空気圧システムの構造的及び機能的特徴である。このシステムの空気回路図が付録Ａの１４２ページに記載されている。また、付録Ａの１４２ページには、前述の各構成おける用途に対応する換気補助装置１０の性能仕様全般も示されている。
【００４９】
上記の説明は、例として提示されており、制限ではない。当業者であれば、上記開示を踏まえ、本明細書に開示される本発明の範囲及び精神から逸脱しない変形例を考案でき得る。更に、本明細書に開示される実施形態の種々の特徴は、単独で使用すること、又は互いに異なる組み合わせで使用することができ、本明細書に記載される特定の組み合わせに制限することを意図しない。したがって、特許請求の範囲は、例示的実施形態によって制限されない。
【００５０】
一例として、定置及び拡張範囲構成でのみ使用されるように適合させてあり、必ずしもスタンドアロン構成で使用するようには適合させていない換気補助装置１０の代替版が提供され得るものと考えられる。かかる変形例においては、かかるスタンドアロン構成における機能に対応する構造及びオンボード制御アルゴリズム／ソフトウェアを換気補助装置１０において排除でき得る。また、圧縮器ユニット１４における低流量ガス吸入ポート６４などの特徴を、その補助的な構造的及び機能的／制御上の特徴と併せて取り除いた換気補助装置１０の代替版が提供され得ることも考えられる。この場合には、低流量ガス吸入ポート６４を取り除き、結果的に低流量ガス吸入ポート６４を介して酸素などを圧縮器ユニット１４に直接導入できないようにすると、換気補助装置１０のかかる変形例が、適切な源からかかる患者インタフェース内に直接酸素などを導入できるように構成された患者インタフェースと併用され得るものと更に考えられる。
【００５１】
（例１）
定置構成と、拡張範囲構成と、スタンドアロン構成と、の間で移行可能な換気補助装置であって、
圧縮器ユニットと、
換気ガスを提供するための人工呼吸器と、
換気ガスを受け取り、換気ガスを患者に届けるための患者インタフェースと、
を備え、
前記圧縮器ユニットは、
圧縮ガスを提供するための圧縮器と、
人工呼吸器ドックの圧縮ガス排出ポート及び人工呼吸器ドックの換気ガス取入ポートを備える人工呼吸器ドックと、
圧縮器ユニットの換気ガス排出ポートと、
圧縮器ユニットの圧縮ガス排出ポートと、
を有し、
前記人工呼吸器は、前記人工呼吸器ドックで着脱可能なドッキング用に構成されて、
人工呼吸器の換気ガス排出ポートと、
人工呼吸器の圧縮ガス取入ポートと、
を有し、
前記患者インタフェースは、前記圧縮器ユニットの換気ガス排出ポートと流体連通する配置と、前記人工呼吸器の換気ガス排出ポートと流体連通する配置と、の間で移行可能な患者インタフェースガス取入ポートを有し、
前記換気補助装置が前記定置構成に移行すると、前記人工呼吸器が前記人工呼吸器ドックでドッキングされ、前記人工呼吸器の圧縮ガス取入ポートが前記人工呼吸器ドックの圧縮ガス排出ポートと流体連通し、前記人工呼吸器の換気ガス排出ポートが前記人工呼吸器ドックの換気ガス取入ポートと流体連通し、前記患者インタフェースガス取入ポートが前記圧縮器の換気ガス排出ポートと流体連通し、その結果、圧縮ガスが前記圧縮器ユニットによって前記人工呼吸器に提供され、換気ガスが前記圧縮器ユニットに戻され、その後前記圧縮器ユニットから前記患者インタフェースに出力され、
前記換気補助装置が前記拡張範囲構成に移行すると、前記人工呼吸器が前記人工呼吸器ドックでドッキングされず、前記人工呼吸器の圧縮ガス取入ポートが前記圧縮器ユニットの圧縮ガス排出ポートと流体連通し、前記患者インタフェースガス取入ポートが前記人工呼吸器の換気ガス排出ポートと流体連通し、その結果、圧縮ガスが前記圧縮器ユニットによって前記人工呼吸器に提供され、換気ガスが、圧縮器ユニットに戻されることなく、前記人工呼吸器によって前記患者インタフェースに提供され、
前記換気補助装置が前記スタンドアロン構成に移行すると、前記人工呼吸器が前記人工呼吸器ドックでドッキングされず、前記人工呼吸器の圧縮ガス取入ポートが外部圧縮ガス源と流体連通し、前記患者インタフェースガス取入ポートが前記人工呼吸器の換気ガス排出ポートと流体連通し、その結果、圧縮ガスが前記外部圧縮ガス源によって前記人工呼吸器に提供され、換気ガスが、前記人工呼吸器により、前記圧縮器ユニットを通過せずに前記患者インタフェースに提供される、換気補助装置。
【００５２】
（例２）
前記圧縮器ユニットが低流量ガス吸入ポートを更に備える、例１に記載の換気補助装置。
【００５３】
（例３）
前記低流量ガス吸入ポートが低流量酸素吸入ポートを備える、例２に記載の換気補助装置。
【００５４】
（例４）
前記圧縮器が外気を圧縮するように構成されている、例１に記載の換気補助装置。
（例５）
前記圧縮器ユニットが前記圧縮器に外気を導入するための１つ以上の外気口を更に備える、例４に記載の換気補助装置。
【００５５】
（例６）
前記１つ以上の外気口がフィルタを更に備える、例５に記載の換気補助装置。
（例７）
前記圧縮器ユニットの圧縮ガス排出ポートがDiameter Index Safety System連結器を備える、例１に記載の換気補助装置。
【００５６】
（例８）
前記人工呼吸器が電動式であり、充電式バッテリを含む、例１に記載の換気補助装置。
（例９）
前記人工呼吸器ドックが、前記人工呼吸器に給電するため、及び前記人工呼吸器が前記人工呼吸器ドックにドッキングされたときに前記充電式バッテリを再充電するための電力を提供するように構成されている、例８に記載の換気補助装置。
【００５７】
（例１０）
前記人工呼吸器がユーザインタフェースと無線送信機とを更に備え、前記圧縮器ユニットが無線受信機を更に備え、前記圧縮器が前記ユーザインタフェースにおけるユーザ入力によって開始される、無線送信機から前記無線受信機への信号伝送によって制御可能である、例１に記載の換気補助装置。
【００５８】
（例１１）
定置構成と、拡張範囲構成と、の間で移行可能な換気補助装置であって、
圧縮器ユニットと、
換気ガスを提供するための人工呼吸器と、
換気ガスを受け取り、換気ガスを患者に届けるための患者インタフェースと、
を備え、
前記圧縮器ユニットは、
圧縮ガスを提供するための圧縮器と、
人工呼吸器ドックの圧縮ガス排出ポート及び人工呼吸器ドックの換気ガス取入ポートを備える人工呼吸器ドックと、
圧縮器ユニットの換気ガス排出ポートと、
圧縮器ユニットの圧縮ガス排出ポートと、
を有し、
前記人工呼吸器は、前記人工呼吸器ドックで着脱可能なドッキング用に構成されて、
人工呼吸器の換気ガス排出ポートと、
人工呼吸器の圧縮ガス取入ポートと、
を有し、
前記患者インタフェースは、前記圧縮器ユニットの換気ガス排出ポートと流体連通する配置と、前記人工呼吸器の換気ガス排出ポートと流体連通する配置と、の間で移行可能な患者インタフェースガス取入ポートを有し、
前記換気補助装置が前記定置構成に移行すると、前記人工呼吸器が前記人工呼吸器ドックでドッキングされ、前記人工呼吸器の圧縮ガス取入ポートが前記人工呼吸器ドックの圧縮ガス排出ポートと流体連通し、前記人工呼吸器の換気ガス排出ポートが前記人工呼吸器ドックの換気ガス取入ポートと流体連通し、前記患者インタフェースガス取入ポートが前記圧縮器の換気ガス排出ポートと流体連通し、その結果、圧縮ガスが前記圧縮器ユニットによって前記人工呼吸器に提供され、換気ガスが前記圧縮器ユニットに戻され、その後前記圧縮器ユニットから前記患者インタフェースに出力され、
前記換気補助装置が前記拡張範囲構成に移行すると、前記人工呼吸器が前記人工呼吸器ドックでドッキングされず、前記人工呼吸器の圧縮ガス取入ポートが前記圧縮器ユニットの圧縮ガス排出ポートと流体連通し、前記患者インタフェースガス取入ポートが前記人工呼吸器の換気ガス排出ポートと流体連通し、その結果、圧縮ガスが前記圧縮器ユニットによって前記人工呼吸器に提供され、換気ガスが、圧縮器ユニットに戻されることなく、前記人工呼吸器によって前記患者インタフェースに提供される、換気補助装置。
【００５９】
（例１２）
前記圧縮器が外気を圧縮するように構成されている、例１１に記載の換気補助装置。
（例１３）
前記圧縮器ユニットが前記圧縮器に外気を導入するための１つ以上の外気口を更に備える、例１２に記載の換気補助装置。
【００６０】
（例１４）
前記１つ以上の外気口がフィルタを更に備える、例１３に記載の換気補助装置。
（例１５）
前記圧縮器ユニットの圧縮ガス排出ポートがDiameter Index Safety System連結器を備える、例１１に記載の換気補助装置。
【００６１】
（例１６）
前記人工呼吸器が電動式であり、充電式バッテリを含む、例１１に記載の換気補助装置。
【００６２】
（例１７）
前記人工呼吸器ドックが前記人工呼吸器に給電するため、及び前記人工呼吸器が前記人工呼吸器ドックにドッキングされたときに前記充電式バッテリを再充電するための電力を提供するように構成されている、例１６に記載の換気補助装置。
【００６３】
（例１８）
前記人工呼吸器がユーザインタフェースと無線送信機とを更に備え、
前記圧縮器ユニットが無線受信機を更に備え、
前記圧縮器が前記ユーザインタフェースにおけるユーザ入力によって開始される、無線送信機から前記無線受信機への信号伝送によって制御可能である、例１１に記載の換気補助装置。
【００６４】
（例１９）
モジュール式換気補助装置を、定置構成、拡張範囲構成、及びスタンドアロン構成のうちの１つから別の１つに移行させる方法であって、
圧縮ガスを提供するための圧縮器と、低流量酸素吸入ポートと、圧縮器ユニットの換気ガス排出ポートと、圧縮器ユニットの圧縮ガス排出ポートと、人工呼吸器ドックであって、人工呼吸器ドックの圧縮ガス排出ポート及び人工呼吸器ドックの換気ガス取入ポートを有する人工呼吸器ドックと、を備える圧縮器ユニットと、
人工呼吸器ドックでの着脱可能なドッキング用に構成された人工呼吸器であって、ユーザインタフェースと、人工呼吸器の換気ガス排出ポートと、人工呼吸器の圧縮ガス取入ポートと、を備える人工呼吸器と、
圧縮器ユニットの換気ガス排出ポートと流体連通している配置と、人工呼吸器の換気ガス排出ポートと流体連通している配置と、の間で移行可能な患者インタフェースガス取入ポートを有する患者インタフェースと、
を備えるモジュール式人工呼吸器を提供することと、
前記モジュール式換気補助装置を定置構成、拡張範囲構成、及びスタンドアロン構成のうちの１つから別の１つへと移行させることと、
を含み、
前記モジュール式換気補助装置が前記人工呼吸器ドックでドッキングされると前記定置構成へと移行し、前記人工呼吸器の圧縮ガス取入ポートが前記人工呼吸器ドックの圧縮ガス排出ポートと流体連通し、前記人工呼吸器の換気ガス排出ポートが前記人工呼吸器ドックの換気ガス取入ポートと流体連通し、前記患者インタフェースガス取入ポートが前記圧縮器の換気ガス排出ポートと流体連通し、その結果、前記圧縮器ユニットによって圧縮ガスが人工呼吸器に提供され、換気ガスが前記圧縮器ユニットに戻され、その後前記圧縮器ユニットから前記患者インタフェースに出力され、
前記人工呼吸器がドッキングされていないと、前記モジュール式換気補助装置が前記拡張範囲構成に移行し、前記人工呼吸器の圧縮ガス取入ポートが前記圧縮器ユニットの圧縮ガス排出ポートと流体連通し、前記患者インタフェースガス取入ポートが前記人工呼吸器の換気ガス排出ポートと流体連通し、その結果、圧縮ガスが前記圧縮器ユニットによって前記人工呼吸器に提供され、換気ガスが、前記人工呼吸器により、前記圧縮器ユニットに戻されることなく前記患者インタフェースに提供され、
前記人工呼吸器がドッキングされていないと、前記モジュール式換気補助装置がスタンドアロン構成に移行し、前記人工呼吸器の圧縮ガス取入ポートが外部圧縮ガス源と流体連通し、前記患者インタフェースガス取入ポートが前記人工呼吸器の換気ガス排出ポートと流体連通し、その結果、圧縮ガスが前記外部圧縮ガス源によって前記人工呼吸器に提供され、換気ガスが、前記人工呼吸器により、圧縮器ユニットを通過せずに前記患者インタフェースに提供される、方法。
【００６５】
（例２０）
前記圧縮器が外気を圧縮するように構成されている、例１９に記載の方法。
（付録Ａ）
2020000885.tif 000003
2020000885.tif 000004
2020000885.tif 000005
2020000885.tif 000006
2020000885.tif 000007
2020000885.tif 000008
2020000885.tif 000009
2020000885.tif 000010
2020000885.tif 000011
2020000885.tif 000012
2020000885.tif 000013
2020000885.tif 000014
2020000885.tif 000015
2020000885.tif 000016
2020000885.tif 000017
2020000885.tif 000018
2020000885.tif 000019
2020000885.tif 000020
2020000885.tif 000021
2020000885.tif 000022
2020000885.tif 000023
2020000885.tif 000024
2020000885.tif 000025
2020000885.tif 000026
2020000885.tif 000027
2020000885.tif 000028
2020000885.tif 000029
2020000885.tif 000030
2020000885.tif 000031
2020000885.tif 000032
2020000885.tif 000033
2020000885.tif 000034
2020000885.tif 000035
2020000885.tif 000036
2020000885.tif 000037
2020000885.tif 000038
2020000885.tif 000039
2020000885.tif 000040
2020000885.tif 000041
2020000885.tif 000042
2020000885.tif 000043
2020000885.tif 000044
2020000885.tif 000045
2020000885.tif 000046
2020000885.tif 000047
2020000885.tif 000048
2020000885.tif 000049
2020000885.tif 000050
2020000885.tif 000051
2020000885.tif 000052
2020000885.tif 000053
2020000885.tif 000054
2020000885.tif 000055
2020000885.tif 000056
2020000885.tif 000057
2020000885.tif 000058
2020000885.tif 000059
2020000885.tif 000060
2020000885.tif 000061
2020000885.tif 000062
2020000885.tif 000063
2020000885.tif 000064
2020000885.tif 000065
2020000885.tif 000066
2020000885.tif 000067
2020000885.tif 000068
2020000885.tif 000069
2020000885.tif 000070
2020000885.tif 000071
2020000885.tif 000072
2020000885.tif 000073
2020000885.tif 000074
2020000885.tif 000075
2020000885.tif 000076
2020000885.tif 000077
2020000885.tif 000078
2020000885.tif 000079
2020000885.tif 000080
2020000885.tif 000081
2020000885.tif 000082
2020000885.tif 000083
2020000885.tif 000084
【図１】
2020000885.tif 000085
【図２】
2020000885.tif 000086
【図３】
2020000885.tif 000087
【図４】
2020000885.tif 000088
【図５】
2020000885.tif 000089
【図６】
2020000885.tif 000090
【図７】
2020000885.tif 000091
【図８】
2020000885.tif 000092
【図９Ａ】
2020000885.tif 000093
【図９Ｂ】
2020000885.tif 000094
【図９Ｃ】
2020000885.tif 000095
【図９Ｄ】
2020000885.tif 000096
【図１０】
2020000885.tif 000097
【図１１】
2020000885.tif 000098
【図１２】
2020000885.tif 000099
【図１３Ａ】
2020000885.tif 000100
【図１３Ｂ】
2020000885.tif 000101
【図１４】
2020000885.tif 000102
【図１５】
2020000885.tif 000103
【図１６】
2020000885.tif 000104
【図１７Ａ】
2020000885.tif 000105
【図１７Ｂ】
2020000885.tif 000106
【図１８】
2020000885.tif 000107
【図１９Ａ】
2020000885.tif 000108
【図１９Ｂ】
2020000885.tif 000109
【図１９Ｃ】
2020000885.tif 000110
【図２０Ａ】
2020000885.tif 000111
【図２０Ｂ】
2020000885.tif 000112
【図２０Ｃ】
2020000885.tif 000113